(57)【特許請求の範囲】
【請求項１】
第１の色差信号Ｒ−Ｙおよび第２の色差信号Ｂ−Ｙから画素毎に色相成分を検出する色相検出手段、ならびに検出された画素毎の色相成分に応じて、輝度信号、第１の色差信号Ｒ−Ｙおよび第２の色差信号Ｂ−Ｙのうちから、任意に選択された１つまたは任意の組み合わせに対する利得を画素毎に制御する利得制御手段を備え、これにより、任意の色相に対してのみ色調を補正するようにした色調補正回路であって、
色相検出手段は、第１の色差信号（Ｒ−Ｙ）が入力する第１のビットシフト回路と、第２の色差信号（Ｂ−Ｙ）が入力する第２のビットシフト回路と、ルークアップテーブルに基づいて両ビットシフト回路の出力値に対応する色相値を色相成分として画素毎に出力する手段とからなり、
各ビットシフト回路は、ｎビットの入力信号をｎより少ないｍビットにビットカットするものであり、両色差信号の少なくとも最上位ビットが共に０である場合には、一方の色差信号の最上位ビットから（ｍ＋１）ビット目までのビットにおいて最上位ビットから０が連続しているビット数と、他方の色差信号の最上位ビットから（ｍ＋１）ビット目までのビットにおいて最上位ビットから０が連続しているビット数とのうちの小さい方のビット数をｘとして、両色差信号の上位ｘビット分をカットするとともに、（ｎ−ｍ）よりｘが小さいときには、さらに両色差信号の下位（ｎ−ｍ−ｘ）ビット分をカットするものであることを特徴とする色調補正回路。
【請求項２】
第１の色差信号Ｒ−Ｙおよび第２の色差信号Ｂ−Ｙから画素毎に色相成分を検出する色相検出手段、ならびに検出された画素毎の色相成分に応じて、輝度信号、第１の色差信号Ｒ−Ｙおよび第２の色差信号Ｂ−Ｙのうちから、任意に選択された１つまたは任意の組み合わせに対する利得を画素毎に制御する利得制御手段を備え、これにより、任意の色相に対してのみ色調を補正するようにした色調補正回路であって、
色相検出手段は、第１の色差信号（Ｒ−Ｙ）が入力する第１のビットシフト回路と、第２の色差信号（Ｂ−Ｙ）が入力する第２のビットシフト回路と、ルークアップテーブルに基づいて両ビットシフト回路の出力値に対応する色相値を色相成分として画素毎に出力する手段とからなり、
各ビットシフト回路は、ｎビットの入力信号をｎより少ないｍビットにビットカットするものであり、両色差信号の少なくとも最上位ビットが共に０である場合には、一方の色差信号の最上位ビットから（ｍ＋１）ビット目までのビットにおいて最上位ビットから０が連続しているビット数と、他方の色差信号の最上位ビットから（ｍ＋１）ビット目までのビットにおいて最上位ビットから０が連続しているビット数とのうちの小さい方のビット数をｘとして、両色差信号の上位ｘビット分をカットするとともに、（ｎ−ｍ）よりｘが小さいときには、さらに両色差信号の下位（ｎ−ｍ−ｘ）ビット分をカットするものであり、
利得制御手段は、色相毎に利得が設定されており、色相検出手段によって検出された画素毎の色相成分に応じた利得を、設定されている色相毎の利得に基づいて、画素毎に算出する利得算出手段、ならびに利得算出手段によって算出された画素毎の利得を、輝度信号、第１の色差信号Ｒ−Ｙおよび第２の色差信号Ｂ−Ｙのうちから、任意に選択された１つまたは任意の組み合わせに対する利得として画素毎に付与する手段を備えていることを特徴とする色調補正回路。
【請求項３】
第１の色差信号Ｒ−Ｙおよび第２の色差信号Ｂ−Ｙから各画素毎の色相成分を検出する色相検出手段、検出された画素毎の色相成分に応じて、第１の色差信号Ｒ−Ｙに、オフセットを画素毎に与える第１のオフセット付与手段、ならびに第２の色差信号Ｂ−Ｙに、オフセットを画素毎に与える第２のオフセット付与手段を備え、これにより、任意の色相に対してのみ色相を補正するようにした色相補正回路であって、
各オフセット付与手段は、
第１色差信号Ｒ−Ｙおよび第２の色差信号Ｂ−Ｙから各画素毎の彩度を検出する彩度検出手段、
色相毎にオフセットが設定されており、色相検出手段によって検出された画素毎の色相成分に応じたオフセットを、設定されている色相毎のオフセットに基づいて、画素毎に算出するオフセット算出手段、
オフセット算出手段によって算出された画素毎のオフセットに、彩度検出手段によって検出された対応する画素の彩度を乗算することによって、彩度に応じたオフセットを画素毎に生成するオフセット生成手段、ならびに
オフセット生成手段によって生成された画素毎のオフセットを、色差信号に画素毎に付与する手段、
を備えていることを特徴とする色相補正回路。
【請求項４】
第１の色差信号Ｒ−Ｙおよび第２の色差信号Ｂ−Ｙから各画素毎の色相成分を検出する色相検出手段、検出された画素毎の色相成分に応じて、第１の色差信号Ｒ−Ｙに、オフセットを画素毎に与える第１のオフセット付与手段、ならびに第２の色差信号Ｂ−Ｙに、オフセットを画素毎に与える第２のオフセット付与手段を備え、これにより、任意の色相に対してのみ色相を補正するようにした色相補正回路であって、
色相検出手段は、第１の色差信号（Ｒ−Ｙ）が入力する第１のビットシフト回路と、第２の色差信号（Ｂ−Ｙ）が入力する第２のビットシフト回路と、ルークアップテーブルに基づいて、両ビットシフト回路の出力値に対応する色相値を色相成分として画素毎に出力する手段とからなり、
各ビットシフト回路は、ｎビットの入力信号をｎより少ないｍビットにビットカットするものであり、両色差信号の少なくとも最上位ビットが共に０である場合には、一方の色差信号の最上位ビットから（ｍ＋１）ビット目までのビットにおいて最上位ビットから０が連続しているビット数と、他方の色差信号の最上位ビットから（ｍ＋１）ビット目までのビットにおいて最上位ビットから０が連続しているビット数とのうちの小さい方のビット数をｘとして、両色差信号の上位ｘビット分をカットするとともに、（ｎ−ｍ）よりｘが小さいときには、さらに両色差信号の下位（ｎ−ｍ−ｘ）ビット分をカットするものであることを特徴とする色相補正回路。
【請求項５】
第１の色差信号Ｒ−Ｙおよび第２の色差信号Ｂ−Ｙから各画素毎の色相成分を検出する色相検出手段、検出された画素毎の色相成分に応じて、第１の色差信号Ｒ−Ｙに、オフセットを画素毎に与える第１のオフセット付与手段、ならびに第２の色差信号Ｂ−Ｙに、オフセットを画素毎に与える第２のオフセット付与手段を備え、これにより、任意の色相に対してのみ色相を補正するようにした色相補正回路であって、
色相検出手段は、第１の色差信号（Ｒ−Ｙ）が入力する第１のビットシフト回路と、第２の色差信号（Ｂ−Ｙ）が入力する第２のビットシフト回路と、ルークアップテーブルに基づいて、両ビットシフト回路の出力値に対応する色相値を色相成分として画素毎に出力する手段とからなり、
各ビットシフト回路は、ｎビットの入力信号をｎより少ないｍビットにビットカットするものであり、両色差信号の少なくとも最上位ビットが共に０である場合には、一方の色差信号の最上位ビットから（ｍ＋１）ビット目までのビットにおいて最上位ビットから０が連続しているビット数と、他方の色差信号の最上位ビットから（ｍ＋１）ビット目までのビットにおいて最上位ビットから０が連続しているビット数とのうちの小さい方のビット数をｘとして、両色差信号の上位ｘビット分をカットするとともに、（ｎ−ｍ）よりｘが小さいときには、さらに両色差信号の下位（ｎ−ｍ−ｘ）ビット分をカットするものであり、
各オフセット付与手段は、
第１色差信号Ｒ−Ｙおよび第２の色差信号Ｂ−Ｙから各画素毎の彩度を検出する彩度検出手段、
色相毎にオフセットが設定されており、色相検出手段によって検出された画素毎の色相成分に応じたオフセットを、設定されている色相毎のオフセットに基づいて、画素毎に算出するオフセット算出手段、
オフセット算出手段によって算出された画素毎のオフセットに、彩度検出手段によって検出された対応する画素の彩度を乗算することによって、彩度に応じたオフセットを画素毎に生成するオフセット生成手段、ならびに
オフセット生成手段によって生成された画素毎のオフセットを、色差信号に画素毎に付与する手段、
を備えていることを特徴とする色相補正回路。
【発明の詳細な説明】
【０００１】
【発明の属する技術分野】
この発明は、色調補正回路および色相補正回路に関する。
【０００２】
【従来の技術】
図１は、単板式ＣＣＤカラーカメラにおける従来の信号処理回路の構成を示している。
【０００３】
第１の１Ｈ遅延回路１は、入力映像信号（ＣＣＤ出力信号）を、１Ｈ（１水平期間）遅延させた信号映像を生成する。第２の１Ｈ遅延回路２は、１Ｈ遅延した映像信号をさらに１Ｈ遅延させた映像信号を生成する。
【０００４】
入力映像信号、１Ｈ遅延された映像信号および２Ｈ遅延された信号は、ＹＣ分離回路３に送られる。ＹＣ分離回路３からは、輝度信号Ｙｈ、垂直輪郭信号Ｖａｐ、Ｇ信号、Ｒ信号およびＢ信号が出力される。
【０００５】
輝度信号Ｙｈおよび垂直輪郭信号Ｖａｐは、Ｙプロセス回路４に送られ、所定の輝度信号処理が行なわれた後、輝度信号Ｙｏｕｔとして出力される。
【０００６】
Ｇ信号、Ｒ信号およびＢ信号は、色差マトリックス回路５に送られる。色差マトリックス回路５は、４つの加算器１１、１２、１３、１４、４つの乗算器２１、２２、２３、２４および各乗算器２１、２２、２３、２４に対して乗算係数を与える色差マトリックス係数レジスタ２５を備えている。色差マトリックス係数レジスタ２５には、ＣＰＵ７によって各乗算器２１、２２、２３、２４に対する乗算係数が設定される。
【０００７】
各乗算器２１、２２、２３、２４に与えられる乗算係数を、ＫＲＲＹ  、ＫＲＢＹ  、ＫＢＲＹ  、ＫＢＢＹ  とすると、色差マトリックス回路５は次式（１）の演算を行なって、色差信号（Ｒ−Ｙ）および（Ｂ−Ｙ）とを生成する。
【０００８】
Ｒ−Ｙ＝ＫＲＲＹ  （Ｒ−Ｇ）＋ＫＢＲＹ  （Ｂ−Ｇ）
Ｂ−Ｙ＝ＫＲＢＹ  （Ｒ−Ｇ）＋ＫＢＢＹ  （Ｂ−Ｇ）      …（１）
【０００９】
色差マトリックス回路５によって得られた色差信号（Ｒ−Ｙ）、（Ｂ−Ｙ）は、カラーエンコード回路６に送られる。
【００１０】
カラーエンコード回路６では、位相差が９０度である２つの色搬送波を色差信号（Ｒ−Ｙ）、（Ｂ−Ｙ）でそれぞれ平衡変調したものが合成されて、色信号Ｃｏｕｔが生成される。
【００１１】
上記回路においては、色差マトリックス回路５の係数ＫＲＲＹ  、ＫＲＢＹ  、ＫＢＲＹ  、ＫＢＢＹ  を変更することによって、映像出力の色調を調整することが可能である。つまり、図２（ａ）に示すように係数ＫＲＲＹ  によってＲ−Ｙ方向のゲインを、図２（ｂ）に示すようにＫＢＲＹ  でＢ−Ｙ軸の色相（ＨＵＥ）を、図２（ｃ）に示すようにＫＲＢＹ  でＲ−Ｙ軸の色相（ＨＵＥ）を、図２（ｄ）に示すように係数ＫＢＢＹ  によってＢ−Ｙ方向のゲインを、それぞれ調整することができる。
【００１２】
ところで、単板式ＣＣＤカラーカメラの場合、ＣＣＤ前面に色フィルタが配置されている。特に、色フィルタとして補色系の色フィルタが用いられている場合には、Ｙｅ、Ｍｇ、Ｃｙ、Ｇの色フィルタの分光感度特性を理想的な特性にすることは困難であるため、本来の色と異なる色が再現されてしまう。
【００１３】
例えば、緑系統の色が出にくかったり、青系統の色が強く出たり、赤系統の色がマゼンタ方向にずれたりする。このような色再現性の劣化を、色差マトリックス回路５の係数ＫＲＲＹ  、ＫＲＢＹ  、ＫＢＲＹ  、ＫＢＢＹ  のみで調整することは困難である。なぜなら、たとえば、緑系統の色が不足している場合に、係数ＫＲＲＹ  を大きくすると、緑色を強くすることはできるが、シアンも赤もマゼンダも同様に強くなってしまう。
【００１４】
【発明が解決しようとする課題】
この発明は、任意の色相に対してのみ色調を補正することができる色調補正回路を提供することを目的とする。
【００１５】
この発明は、任意の色相に対してのみ色相を補正することができる色相補正回路を提供することを目的とする。
【００１６】
【課題を解決するための手段】
この発明による第１の色調補正回路は、第１の色差信号Ｒ−Ｙおよび第２の色差信号Ｂ−Ｙから画素毎に色相成分を検出する色相検出手段、ならびに検出された画素毎の色相成分に応じて、輝度信号、第１の色差信号Ｒ−Ｙおよび第２の色差信号Ｂ−Ｙのうちから、任意に選択された１つまたは任意の組み合わせに対する利得を画素毎に制御する利得制御手段を備え、これにより、任意の色相に対してのみ色調を補正するようにした色調補正回路であって、色相検出手段は、第１の色差信号（Ｒ−Ｙ）が入力する第１のビットシフト回路と、第２の色差信号（Ｂ−Ｙ）が入力する第２のビットシフト回路と、ルークアップテーブルに基づいて両ビットシフト回路の出力値に対応する色相値を色相成分として画素毎に出力する手段とからなり、各ビットシフト回路は、ｎビットの入力信号をｎより少ないｍビットにビットカットするものであり、両色差信号の少なくとも最上位ビットが共に０である場合には、一方の色差信号の最上位ビットから（ｍ＋１）ビット目までのビットにおいて最上位ビットから０が連続しているビット数と、他方の色差信号の最上位ビットから（ｍ＋１）ビット目までのビットにおいて最上位ビットから０が連続しているビット数とのうちの小さい方のビット数をｘとして、両色差信号の上位ｘビット分をカットするとともに、（ｎ−ｍ）よりｘが小さいときには、さらに両色差信号の下位（ｎ−ｍ−ｘ）ビット分をカットするものであることを特徴とする。
【００１７】
この発明による第２の色調補正回路は、第１の色差信号Ｒ−Ｙおよび第２の色差信号Ｂ−Ｙから画素毎に色相成分を検出する色相検出手段、ならびに検出された画素毎の色相成分に応じて、輝度信号、第１の色差信号Ｒ−Ｙおよび第２の色差信号Ｂ−Ｙのうちから、任意に選択された１つまたは任意の組み合わせに対する利得を画素毎に制御する利得制御手段を備え、これにより、任意の色相に対してのみ色調を補正するようにした色調補正回路であって、色相検出手段は、第１の色差信号（Ｒ−Ｙ）が入力する第１のビットシフト回路と、第２の色差信号（Ｂ−Ｙ）が入力する第２のビットシフト回路と、ルークアップテーブルに基づいて両ビットシフト回路の出力値に対応する色相値を色相成分として画素毎に出力する手段とからなり、各ビットシフト回路は、ｎビットの入力信号をｎより少ないｍビットにビットカットするものであり、両色差信号の少なくとも最上位ビットが共に０である場合には、一方の色差信号の最上位ビットから（ｍ＋１）ビット目までのビットにおいて最上位ビットから０が連続しているビット数と、他方の色差信号の最上位ビットから（ｍ＋１）ビット目までのビットにおいて最上位ビットから０が連続しているビット数とのうちの小さい方のビット数をｘとして、両色差信号の上位ｘビット分をカットするとともに、（ｎ−ｍ）よりｘが小さいときには、さらに両色差信号の下位（ｎ−ｍ−ｘ）ビット分をカットするものであり、利得制御手段は、色相毎に利得が設定されており、色相検出手段によって検出された画素毎の色相成分に応じた利得を、設定されている色相毎の利得に基づいて、画素毎に算出する利得算出手段、ならびに利得算出手段によって算出された画素毎の利得を、輝度信号、第１の色差信号Ｒ−Ｙおよび第２の色差信号Ｂ−Ｙのうちから、任意に選択された１つまたは任意の組み合わせに対する利得として画素毎に付与する手段を備えていることを特徴とする。
【００１８】
この発明による第１の色相補正回路は、第１の色差信号Ｒ−Ｙおよび第２の色差信号Ｂ−Ｙから各画素毎の色相成分を検出する色相検出手段、検出された画素毎の色相成分に応じて、第１の色差信号Ｒ−Ｙに、オフセットを画素毎に与える第１のオフセット付与手段、ならびに第２の色差信号Ｂ−Ｙに、オフセットを画素毎に与える第２のオフセット付与手段を備え、これにより、任意の色相に対してのみ色相を補正するようにした色相補正回路であって、各オフセット付与手段は、第１色差信号Ｒ−Ｙおよび第２の色差信号Ｂ−Ｙから各画素毎の彩度を検出する彩度検出手段、色相毎にオフセットが設定されており、色相検出手段によって検出された画素毎の色相成分に応じたオフセットを、設定されている色相毎のオフセットに基づいて、画素毎に算出するオフセット算出手段、オフセット算出手段によって算出された画素毎のオフセットに、彩度検出手段によって検出された対応する画素の彩度を乗算することによって、彩度に応じたオフセットを画素毎に生成するオフセット生成手段、ならびにオフセット生成手段によって生成された画素毎のオフセットを、色差信号に画素毎に付与する手段を備えていることを特徴とする。
【００１９】
この発明による第２の色相補正回路は、第１の色差信号Ｒ−Ｙおよび第２の色差信号Ｂ−Ｙから各画素毎の色相成分を検出する色相検出手段、検出された画素毎の色相成分に応じて、第１の色差信号Ｒ−Ｙに、オフセットを画素毎に与える第１のオフセット付与手段、ならびに第２の色差信号Ｂ−Ｙに、オフセットを画素毎に与える第２のオフセット付与手段を備え、これにより、任意の色相に対してのみ色相を補正するようにした色相補正回路であって、色相検出手段は、第１の色差信号（Ｒ−Ｙ）が入力する第１のビットシフト回路と、第２の色差信号（Ｂ−Ｙ）が入力する第２のビットシフト回路と、ルークアップテーブルに基づいて、両ビットシフト回路の出力値に対応する色相値を色相成分として画素毎に出力する手段とからなり、各ビットシフト回路は、ｎビットの入力信号をｎより少ないｍビットにビットカットするものであり、両色差信号の少なくとも最上位ビットが共に０である場合には、一方の色差信号の最上位ビットから（ｍ＋１）ビット目までのビットにおいて最上位ビットから０が連続しているビット数と、他方の色差信号の最上位ビットから（ｍ＋１）ビット目までのビットにおいて最上位ビットから０が連続しているビット数とのうちの小さい方のビット数をｘとして、両色差信号の上位ｘビット分をカットするとともに、（ｎ−ｍ）よりｘが小さいときには、さらに両色差信号の下位（ｎ−ｍ−ｘ）ビット分をカットするものであることを特徴とする。
【００２０】
この発明による第３の色相補正回路は、第１の色差信号Ｒ−Ｙおよび第２の色差信号Ｂ−Ｙから各画素毎の色相成分を検出する色相検出手段、検出された画素毎の色相成分に応じて、第１の色差信号Ｒ−Ｙに、オフセットを画素毎に与える第１のオフセット付与手段、ならびに第２の色差信号Ｂ−Ｙに、オフセットを画素毎に与える第２のオフセット付与手段を備え、これにより、任意の色相に対してのみ色相を補正するようにした色相補正回路であって、色相検出手段は、第１の色差信号（Ｒ−Ｙ）が入力する第１のビットシフト回路と、第２の色差信号（Ｂ−Ｙ）が入力する第２のビットシフト回路と、ルークアップテーブルに基づいて、両ビットシフト回路の出力値に対応する色相値を色相成分として画素毎に出力する手段とからなり、各ビットシフト回路は、ｎビットの入力信号をｎより少ないｍビットにビットカットするものであり、両色差信号の少なくとも最上位ビットが共に０である場合には、一方の色差信号の最上位ビットから（ｍ＋１）ビット目までのビットにおいて最上位ビットから０が連続しているビット数と、他方の色差信号の最上位ビットから（ｍ＋１）ビット目までのビットにおいて最上位ビットから０が連続しているビット数とのうちの小さい方のビット数をｘとして、両色差信号の上位ｘビット分をカットするとともに、（ｎ−ｍ）よりｘが小さいときには、さらに両色差信号の下位（ｎ−ｍ−ｘ）ビット分をカットするものであり、各オフセット付与手段は、第１色差信号Ｒ−Ｙおよび第２の色差信号Ｂ−Ｙから各画素毎の彩度を検出する彩度検出手段、色相毎にオフセットが設定されており、色相検出手段によって検出された画素毎の色相成分に応じたオフセットを、設定されている色相毎のオフセットに基づいて、画素毎に算出するオフセット算出手段、オフセット算出手段によって算出された画素毎のオフセットに、彩度検出手段によって検出された対応する画素の彩度を乗算することによって、彩度に応じたオフセットを画素毎に生成するオフセット生成手段、ならびにオフセット生成手段によって生成された画素毎のオフセットを、色差信号に画素毎に付与する手段を備えていることを特徴とする。
【００２２】
【発明の実施の形態】
以下、図３〜図１０を参照して、この発明を単板式カラーカメラに適用した場合の実施の形態について説明する。
【００２３】
図３は、単板式ＣＣＤカラーカメラにおける信号処理回路の構成を示している。図３において、図１と同じものには、同じ符号を付してその説明を省略する。
【００２４】
この信号処理回路では、図１の信号処理回路に、色調・色相補正回路１００が付加されている。
【００２５】
図４は、色調・色相補正回路１００の構成を示している。
【００２６】
色調・色相補正回路１００には、Ｙプロセス回路４から出力される輝度信号Ｙと、色差マトリックス回路５から出力される色差信号（Ｒ−Ｙ）、（Ｂ−Ｙ）とが入力される。
【００２７】
色調・色相補正回路１００は、色相算出回路１０１、色差信号（Ｒ−Ｙ）、（Ｂ−Ｙ）に基づいて、彩度を算出する彩度算出回路１０２、ゲイン補正回路（色調補正回路）１０３および色相補正回路１０４を備えている。
【００２８】
色相算出回路１０１は、色差信号（Ｒ−Ｙ）、（Ｂ−Ｙ）に基づいて、図５に示すように、色相値Ｃ  ＿Ｐｈａｓｅ  を画素毎に算出する。色相値Ｃ  ＿Ｐｈａｓｅ  は、図５に示すように、色差信号平面上において、原点を中心とした角度に応じた０．０〜４．０の値として求められる。したがって、色相値Ｃ  ＿Ｐｈａｓｅ  は、色差信号の比（Ｒ−Ｙ）／（Ｂ−Ｙ）（より具体的には、ｔａｎ  −１｛（Ｒ−Ｙ）／（Ｂ−Ｙ）  ｝）に応じた値となる。
【００２９】
色相算出回路１０１は、図６に示すように、色差信号（Ｒ−Ｙ）が入力する第１のビットシフト回路１１１と、色差信号（Ｂ−Ｙ）が入力する第２のビットシフト回路１１２と、ＲＯＭ１１３とからなる。
【００３０】
２つのビットシフト回路１１１、１１２は、８ビットの入力信号を５ビットにビットカットするために設けられている。つまり、各ビットシフト回路１１１、１１２は次のようなビットシフトを行なう。
【００３１】
（１）両色差信号（Ｒ−Ｙ）、（Ｂ−Ｙ）とも上位３ビットが０である場合には、上位３ビットをカットするようにビットシフトを行なう。
【００３２】
（２）両色差信号（Ｒ−Ｙ）、（Ｂ−Ｙ）とも上位２ビットが０である場合には、上位２ビットをカットし、下位１ビットを丸める（カットする）ようにビットシフトを行なう。
【００３３】
（３）両色差信号（Ｒ−Ｙ）、（Ｂ−Ｙ）とも上位１ビットが０である場合には、上位１ビットをカットし、下位２ビットを丸める（カットする）ようにビットシフトを行なう。
【００３４】
（４）上記（１）〜（３）に該当しない場合には、両色差信号（Ｒ−Ｙ）、（Ｂ−Ｙ）の下位３ビットを丸める（カットする）ようにビットシフトを行なう。
【００３５】
ＲＯＭ１１３には、入力される５ビットの色差信号（Ｒ−Ｙ）と、５ビットの色差信号（Ｂ−Ｙ）が入力される。ＲＯＭ１１３は、予め記憶されている色相変換テーブルに基づいて、入力色差信号（Ｒ−Ｙ）、（Ｂ−Ｙ）の値に応じた色相値Ｃ  ＿Ｐｈａｓｅ  を画素毎に出力する。
【００３６】
彩度算出回路１０２は、色差信号（Ｒ−Ｙ）、（Ｂ−Ｙ）に基づいて、彩度を画素毎に算出する。彩度算出回路１０２は、予め記憶している彩度変換テーブルに基づいて、入力色差信号（Ｒ−Ｙ）、（Ｂ−Ｙ）の大きさに応じた彩度を画素毎に出力する。
【００３７】
ゲイン補正回路１０３は、輝度信号Ｙのゲインを調整するための乗算器１２１、色差信号（Ｒ−Ｙ）のゲインを調整するための乗算器１２２、色差信号（Ｂ−Ｙ）のゲインを調整するための乗算器１２３、ゲイン算出レジスタ１２４および２つの選択回路（ＳＥＬ）１２５、１２６を備えている。
【００３８】
ゲイン算出レジスタ１２４には、特定の色相の彩度を調整したり、特定の色相の明度を調整したりするために、色相値毎のゲインがユーザによって設定される。つまり、ゲイン算出レジスタ１２４には、０．０〜４．０までの色相値に対して、０．２５刻みでゲインが設定される。
【００３９】
例えば、緑のみを強調したい場合（緑の濃度を濃くしたい場合）や、緑のみを明るくさせたい場合には、ゲイン算出レジスタ１２４には、図７に示すように、緑の色相（色相値２．７５付近）のみに対するゲインが高くなるような色相値毎のゲインが設定される。
【００４０】
ゲイン算出レジスタ１２４は、色相算出回路１０１から送られてくる色相値Ｃ  ＿Ｐｈａｓｅ  に対応するゲインを画素毎に算出して出力する。ゲイン算出レジスタ１２４には、０．０〜４．０までの色相値に対して０．２５刻みでゲインが設定されているので、色相算出回路１０１から送られてくる色相値Ｃ  ＿Ｐｈａｓｅ  が、ゲインが設定されている２つの色相値の間の値である場合には、ゲイン算出レジスタ１２４は、当該２つの色相値に対するゲインを線形補間することによって、入力された色相値Ｃ  ＿Ｐｈａｓｅ  に対するゲインを算出して出力する。
【００４１】
ゲイン算出レジスタ１２４によって画素毎に算出されたゲインは、第１の選択回路１２５および第２の選択回路１２６に送られる。第１の選択回路１２５は、ゲイン算出レジスタ１２４によって算出されたゲインまたは”１”を選択して、乗算器１２２、１２３に送る。第２の選択回路１２６は、ゲイン算出レジスタ１２４によって算出されたゲインまたは”１”を選択して、乗算器１２１に送る。
【００４２】
特定の色相の濃度を調整を行うときには、第１の選択回路１２５は、ゲイン算出レジスタ１２４によって算出されたゲインを選択するように制御される。特定の色相の明るさを調整を行うときには、第２の選択回路１２６は、ゲイン算出レジスタ１２４によって算出されたゲインを選択するように制御される。
【００４３】
たとえば、ゲイン算出レジスタ１２４に、図７に示すように、緑の色相のみに対するゲインが高くなるようなゲインが設定されている場合において、第１の選択回路１２５を介してゲイン算出レジスタ１２４によって算出されたゲインが乗算器１２２、１２３に送られるようにした場合を想定する。この場合には、緑の色相の色差信号（Ｒ−Ｙ）、（Ｂ−Ｙ）のゲインが持ち上げられるので、図８に示すように、緑の彩度が大きくなる。
【００４４】
さらに、第２の選択回路１２６を介してゲイン算出レジスタ１２４によって算出されたゲインが乗算器１２１に送られるようにすると、緑の色相の輝度信号Ｙのゲインが持ち上げられるので、緑の明度が大きくなる。
【００４５】
色相補正回路１０４は、Ｒ−Ｙオフセット算出レジスタ１３１、Ｂ−Ｙオフセット算出レジスタ１３２、Ｒ−Ｙオフセット算出レジスタ１３１から出力されるオフセットを彩度算出回路１０２によって算出された彩度に乗算する乗算器１３３、Ｂ−Ｙオフセット算出レジスタ１３２から出力されるオフセットを彩度算出回路１０２によって算出された彩度に乗算する乗算器１３４、乗算器１３３から出力されるオフセットをゲイン補正回路１０２から出力される色差信号（Ｒ−Ｙ）に加算するための加算器１３５および乗算器１３４から出力されるオフセットをゲイン補正回路１０２から出力される色差信号（Ｂ−Ｙ）に加算するための加算器１３６を備えている。
【００４６】
Ｒ−Ｙオフセット算出レジスタ１３１およびＢ−Ｙオフセット算出レジスタ１３２には、特定の色相のみに対して色相を補正するために、色相値毎のオフセットがユーザによって設定される。つまり、各オフセット算出レジスタ１３１、１３２には、０．０〜４．０までの色相値に対して、０．２５刻みでオフセットが設定される。
【００４７】
例えば、緑色の色相をＹｅよりに補正させたい場合には、各オフセット算出レジスタ１３１、１３２には、図９に示すような色相値毎のオフセットが設定される。図９において、Ｒ−ＹはＲ−Ｙオフセット算出レジスタ１３１に設定された色相値毎のオフセットを示し、Ｂ−ＹはＢ−Ｙオフセット算出レジスタ１３２に設定された色相値毎のオフセットを示している。
【００４８】
各オフセット算出レジスタ１３１、１３２は、色相算出回路１０１から送られてくる色相値Ｃ  ＿Ｐｈａｓｅ  に対応するオフセットを画素毎に算出して出力する。各オフセット算出レジスタ１３１、１３２には、０．０〜４．０までの色相値に対して０．２５刻みでオフセットが設定されているので、色相算出回路１０１から送られてくる色相値Ｃ  ＿Ｐｈａｓｅ  が、オフセットが設定されている２つの色相値の間の値である場合には、各オフセット算出レジスタ１３１、１３２は、当該２つの色相値に対するオフセットを線形補間することによって、入力された色相値Ｃ  ＿Ｐｈａｓｅ  に対するオフセットを算出して出力する。
【００４９】
Ｒ−Ｙオフセット算出レジスタ１３１によって画素毎に算出されたオフセットは乗算器１３３に送られ、彩度算出回路１０２によって算出された彩度が乗算される。これにより、彩度に応じたＲ−Ｙオフセットが画素毎に得られる。同様に、Ｂ−Ｙオフセット算出レジスタ１３２によって算出された画素毎のオフセットは乗算器１３４に送られ、彩度算出回路１０２によって算出された彩度が乗算される。これにより、彩度に応じたＢ−Ｙオフセットが画素毎に得られる。
【００５０】
乗算器１３３から出力されるＲ−Ｙオフセットは加算器１３５に送られ、ゲイン補正回路１０２から出力される色差信号（Ｒ−Ｙ）に加算される。同様に、乗算器１３４から出力されるＢ−Ｙオフセットは加算器１３６に送られ、ゲイン補正回路１０２から出力される色差信号（Ｂ−Ｙ）に加算される。
【００５１】
たとえば、各オフセット算出レジスタ１３１、１３２に、図９に示すように、緑色の色相をＹｅよりに補正させるためのオフセットが設定されている場合には、緑の色相の色差信号（Ｒ−Ｙ）に対して、その大きさが小さくなるようなオフセットがかけられ、緑の色相の色差信号（Ｂ−Ｙ）に対して、その大きさが大きくなるようなオフセットがかけられる。したがって、図１０に示すように、緑の色相がＹｅよりに移動する。
【００５２】
上記実施の形態では、緑の色相に対して、彩度、明度、色相を調整する場合について説明したが、他の任意の色相に対しても、同様に彩度、明度、色相を調整することができることは言うまでもない。
【００５３】
また、上記実施の形態では、この発明を単板式カラーカメラに適用した場合について説明したが、この発明はテレビジョン受像機、ＶＴＲ、液晶プロジェクタ等の映像表示装置にも適用することができる。
【００５４】
【発明の効果】
この発明によれば、任意の色相に対してのみ色調を補正することができるようになる。また、この発明によれば、任意の色相に対してのみ色相を補正することができるようになる。
【図面の簡単な説明】
【図１】単板式ＣＣＤカラーカメラにおける従来の信号処理回路の構成を示すブロック図である。
【図２】色差マトリックス回路の係数ＫＲＲＹ  、ＫＲＢＹ  、ＫＢＲＹ  、ＫＢＢＹ  を変更することによって、映像出力の色調を調整することが可能であることを説明するための模式図である。
【図３】単板式ＣＣＤカラーカメラにおける信号処理回路の構成を示すブロック図である。
【図４】色調・色相補正回路の構成を示ブロック図である。
【図５】色相算出回路によって算出される色相値Ｃ  ＿Ｐｈａｓｅ  を示す模式図である。
【図６】色相算出回路の構成を示すブロック図である。
【図７】緑のみを強調したい場合に、ゲイン算出レジスタに設定される色相値毎のゲインを示すグラフである。
【図８】図７に示すような色相値毎のゲインがゲイン算出レジスタに設定された場合に、緑の彩度が大きくなることを示す模式図である。
【図９】緑色の色相をＹｅよりに補正させたい場合に、各オフセット算出レジスタに設定される色相値毎のオフセットを示すグラフである。
【図１０】図９に示すような色相値毎のオフセットがオフセット算出レジスタに設定された場合に、緑色の色相がＹｅよりに補正されることを示す模式図である。
【符号の説明】
１００  色調・色相補正回路
１０１  色相算出回路
１０２  彩度算出回路
１０３  ゲイン補正回路
１０４  色相補正回路
【図１】
0003634730.tif 000002
【図２】
0003634730.tif 000003
【図３】
0003634730.tif 000004
【図４】
0003634730.tif 000005
【図５】
0003634730.tif 000006
【図６】
0003634730.tif 000007
【図７】
0003634730.tif 000008
【図８】
0003634730.tif 000009
【図９】
0003634730.tif 000010
【図１０】
0003634730.tif 000011